【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
ユーザにより指定されたパラメータであって、画像データのぼけに関するパラメータに対応する予測係数を提供する予測係数提供手段と、
前記画像データから画像予測タップを構築する画像予測タップ構築手段と、
前記画像予測タップと、提供された前記予測係数とを予測演算式に適用してぼけを修正した画像データを演算する画像データ演算手段と
を備える画像データ演算装置。
【請求項２】
前記画像データから画像クラスタップを構築する画像クラスタップ構築手段と、
ぼけデータからぼけデータクラスタップを構築するぼけデータクラスタップ構築手段と、
前記画像クラスタップと前記ぼけデータクラスタップに基づいて、前記画像データのクラスを分類するクラス分類手段と
をさらに備え、
前記予測係数提供手段は、さらに分類された前記クラスに対応する前記予測係数を提供する
請求項１に記載の画像データ演算装置。
【請求項３】
前記予測係数提供手段は、ぼけの特性を規定するぼけパラメータ、前記画像データに含まれるノイズに基づくクラスを規定するパラメータ、前記ぼけデータに含まれるノイズに基づくクラスを規定するパラメータ、または動き情報に基づいて、前記予測係数を提供する
請求項２に記載の画像データ演算装置。
【請求項４】
前記予測係数提供手段は、さらにユーザにより指定されたパラメータであって、前記画像データまたは前記ぼけデータのスケーリングに基づくクラスを規定するパラメータに基づいて、前記予測係数を提供する
請求項２に記載の画像データ演算装置。
【請求項５】
前記ぼけデータは、
前記ぼけデータから前記ぼけデータ予測タップを構築する前記ぼけデータ予測タップ構築手段をさらに備え、
前記画像データ演算手段は、前記画像予測タップ、前記ぼけデータ予測タップ、並びに提供された前記予測係数を前記予測演算式に適用してぼけを修正した画像データを演算する
請求項２に記載の画像データ演算装置。
【請求項６】
画像データを演算する画像データ演算装置の画像データ演算方法において、
予測係数提供手段が、ユーザにより指定されたパラメータであって、前記画像データのぼけに関するパラメータに対応する予測係数を提供し、
画像予測タップ構築手段が、前記画像データから画像予測タップを構築し、
画像データ演算手段が、前記画像予測タップと、提供された前記予測係数とを予測演算式に適用してぼけを修正した画像データを演算する
画像データ演算方法。
【請求項７】
ユーザにより指定されたパラメータであって、画像データのぼけに関するパラメータに対応する予測係数を提供する予測係数提供ステップと、
前記画像データから画像予測タップを構築する画像予測タップ構築ステップと、
前記画像予測タップと、提供された前記予測係数とを予測演算式に適用してぼけを修正した画像データを演算する画像データ演算ステップと
を含む処理をコンピュータに実行させるプログラム。
【請求項８】
請求項７に記載のプログラムが記録されている記録媒体。
【請求項９】
パラメータを取得するパラメータ取得手段と、
取得された前記パラメータに基づいて、ぼけモデルのぼけのノイズを演算するノイズ演算手段と、
前記ぼけモデルのノイズを付加した画像データを演算する画像データ演算手段と
を備える画像データ演算装置。
【請求項１０】
前記画像データ演算手段は、ぼけの点広がり関数にノイズを付加して画像データを演算する
請求項９に記載の画像データ演算装置。
【請求項１１】
前記ノイズ演算手段は、奥行きデータにノイズを付加した奥行きデータを演算し、
前記画像データ演算手段は、ノイズを付加した奥行きデータに基づいてぼけの点広がり関数にノイズを付加する
請求項１０に記載の画像データ演算装置。
【請求項１２】
前記ノイズ演算手段は、前記ぼけの点広がり関数の偏差、位相、先鋭度、またはそれらを複合したノイズを演算する
請求項１０に記載の画像データ演算装置。
【請求項１３】
前記ノイズ演算手段は、動き量、動きの方向、またはそれらを複合したノイズを演算する
請求項９に記載の画像データ演算装置。
【請求項１４】
前記ノイズ演算手段は、前記動きの方向にノイズを付加する場合、前記動きの方向の補間画素の画素値を演算するときの前記補間画素の位置にノイズを付加する
請求項１３に記載の画像データ演算装置。
【請求項１５】
処理領域を設定する設定手段をさらに備え、
前記画像データ演算手段は、設定された前記処理領域の画像データについてノイズを付加する
請求項９に記載の画像データ演算装置。
【請求項１６】
画像データを演算する画像データ演算装置の画像データ演算方法において、
パラメータ取得手段が、パラメータを取得し、
ノイズ演算手段が、取得された前記パラメータに基づいて、ぼけモデルのぼけのノイズを演算し、
画像データ演算手段が、前記ぼけモデルのノイズを付加した画像データを演算する
画像データ演算方法。
【請求項１７】
パラメータを取得するパラメータ取得ステップと、
取得された前記パラメータに基づいて、ぼけモデルのぼけのノイズを演算するノイズ演算ステップと、
前記ぼけモデルのノイズを付加した画像データを演算する画像データ演算ステップと
を含む処理をコンピュータに実行させるプログラム。
【請求項１８】
請求項１７に記載のプログラムが記録されている記録媒体。
【手続補正２】
【補正対象書類名】明細書
【補正対象項目名】発明の名称
【補正方法】変更
【補正の内容】
【発明の名称】画像データ演算装置および方法、プログラム、並びに記録媒体
【手続補正３】
【補正対象書類名】明細書
【補正対象項目名】０００１
【補正方法】変更
【補正の内容】
【０００１】
本発明は画像データ演算装置および方法、プログラム、並びに記録媒体に関し、特に、より正確に画像のぼけを修正することができるようにした画像データ演算装置および方法、プログラム、並びに記録媒体に関する。
【手続補正４】
【補正対象書類名】明細書
【補正対象項目名】０００２
【補正方法】変更
【補正の内容】
【０００２】
また、本発明は、自然に揺らぐ画像を生成し、またはその予測係数を演算することができるようにした画像データ演算装置および方法、プログラム、並びに記録媒体に関する。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】変更
【補正の内容】
【００２５】
本発明の一側面は、ユーザにより指定されたパラメータであって、画像データのぼけに関するパラメータに対応する予測係数を提供する予測係数提供手段と、前記画像データから画像予測タップを構築する画像予測タップ構築手段と、前記画像予測タップと、提供された前記予測係数とを予測演算式に適用してぼけを修正した画像データを演算する画像データ演算手段とを備える画像データ演算装置である。
【手続補正１８】
【補正対象書類名】明細書
【補正対象項目名】００３０
【補正方法】変更
【補正の内容】
【００３０】
本発明の一側面はまた、画像データを演算する画像データ演算装置の画像データ演算方法において、予測係数提供手段が、ユーザにより指定されたパラメータであって、前記画像データのぼけに関するパラメータに対応する予測係数を提供し、画像予測タップ構築手段が、前記画像データから画像予測タップを構築し、画像データ演算手段が、前記画像予測タップと、提供された前記予測係数とを予測演算式に適用してぼけを修正した画像データを演算する画像データ演算方法である。
【手続補正１９】
【補正対象書類名】明細書
【補正対象項目名】００３１
【補正方法】変更
【補正の内容】
【００３１】
さらに本発明の一側面は、ユーザにより指定されたパラメータであって、画像データのぼけに関するパラメータに対応する予測係数を提供する予測係数提供ステップと、前記画像データから画像予測タップを構築する画像予測タップ構築ステップと、前記画像予測タップと、提供された前記予測係数とを予測演算式に適用してぼけを修正した画像データを演算する画像データ演算ステップとを含む処理をコンピュータに実行させるプログラムである。
【手続補正２０】
【補正対象書類名】明細書
【補正対象項目名】００３３
【補正方法】変更
【補正の内容】
【００３３】
本発明の他の側面は、パラメータを取得するパラメータ取得手段と、取得された前記パラメータに基づいて、ぼけモデルのぼけのノイズを演算するノイズ演算手段と、前記ぼけモデルのノイズを付加した画像データを演算する画像データ演算手段とを備える画像データ演算装置である。
【手続補正２１】
【補正対象書類名】明細書
【補正対象項目名】００４０
【補正方法】変更
【補正の内容】
【００４０】
本発明の他の側面はまた、画像データを演算する画像データ演算装置の画像データ演算方法において、パラメータ取得手段が、パラメータを取得し、ノイズ演算手段が、取得された前記パラメータに基づいて、ぼけモデルのぼけのノイズを演算し、画像データ演算手段が、前記ぼけモデルのノイズを付加した画像データを演算する画像データ演算方法である。
【手続補正２２】
【補正対象書類名】明細書
【補正対象項目名】００４３
【補正方法】削除
【補正の内容】
【手続補正２３】
【補正対象書類名】明細書
【補正対象項目名】００４４
【補正方法】変更
【補正の内容】
【００４４】
本発明の一側面においては、予測係数提供手段が、ユーザにより指定されたパラメータであって、画像データのぼけに関するパラメータに対応する予測係数を提供し、画像予測タップ構築手段が、前記画像データから画像予測タップを構築し、画像データ演算手段が、前記画像予測タップと、提供された前記予測係数とを予測演算式に適用してぼけを修正した画像データを演算する。
【手続補正２４】
【補正対象書類名】明細書
【補正対象項目名】００４５
【補正方法】変更
【補正の内容】
【００４５】
本発明の他の側面においては、パラメータ取得手段が、パラメータを取得し、ノイズ演算手段が、取得された前記パラメータに基づいて、ぼけモデルのぼけのノイズを演算し、画像データ演算手段が、前記ぼけモデルのノイズを付加した画像データを演算する。
【手続補正２５】
【補正対象書類名】明細書
【補正対象項目名】００４８
【補正方法】削除
【補正の内容】
【手続補正２６】
【補正対象書類名】明細書
【補正対象項目名】００４９
【補正方法】削除
【補正の内容】
【手続補正２７】
【補正対象書類名】明細書
【補正対象項目名】００５０
【補正方法】削除
【補正の内容】
【手続補正２８】
【補正対象書類名】明細書
【補正対象項目名】００５１
【補正方法】削除
【補正の内容】
【手続補正２９】
【補正対象書類名】明細書
【補正対象項目名】００５２
【補正方法】削除
【補正の内容】
【手続補正３０】
【補正対象書類名】明細書
【補正対象項目名】００５３
【補正方法】削除
【補正の内容】
【手続補正３１】
【補正対象書類名】明細書
【補正対象項目名】００５４
【補正方法】削除
【補正の内容】
【手続補正３２】
【補正対象書類名】明細書
【補正対象項目名】００５５
【補正方法】削除
【補正の内容】
【手続補正３３】
【補正対象書類名】明細書
【補正対象項目名】００５６
【補正方法】削除
【補正の内容】
【手続補正３４】
【補正対象書類名】明細書
【補正対象項目名】００５７
【補正方法】削除
【補正の内容】
【手続補正３５】
【補正対象書類名】明細書
【補正対象項目名】００５８
【補正方法】削除
【補正の内容】
【手続補正３６】
【補正対象書類名】明細書
【補正対象項目名】００５９
【補正方法】削除
【補正の内容】
【手続補正３７】
【補正対象書類名】明細書
【補正対象項目名】００６０
【補正方法】削除
【補正の内容】
【手続補正３８】
【補正対象書類名】明細書
【補正対象項目名】００６１
【補正方法】削除
【補正の内容】
【手続補正３９】
【補正対象書類名】明細書
【補正対象項目名】００６２
【補正方法】削除
【補正の内容】
【手続補正４０】
【補正対象書類名】明細書
【補正対象項目名】００６３
【補正方法】削除
【補正の内容】
【手続補正４１】
【補正対象書類名】明細書
【補正対象項目名】００６４
【補正方法】削除
【補正の内容】
【手続補正４２】
【補正対象書類名】明細書
【補正対象項目名】００６５
【補正方法】削除
【補正の内容】
【手続補正４３】
【補正対象書類名】明細書
【補正対象項目名】００６６
【補正方法】削除
【補正の内容】